(57)【要約】【課題】  装着及び脱着が容易であると共に装着後に腕カバー部がずり落ちにくい手袋を提供する。【解決手段】  手袋１１は手を覆う手袋部１３と、手袋部１３に接続され腕の一部を覆う腕カバー部１４とから構成され、これらは合成樹脂シートにより一体的に成形されている。腕カバー部１４は開口端１６に向けて大きく広がるような形状をしており、開口端１６の内部には周方向全周に針金等の可撓性且つ形態保持性を有する棒状体が取付けられている。これによって装着時には、開口端１６をリング状に変形させた状態で手を手袋口１７から差し入れ、その後開口端１６を捻ることによって腕との隙間が少なくなるように変形させる。このようにして手袋１１の装着を容易とすると共に、装着後に腕カバー部１４が腕からずり落ちることを防止する。【選択図】      図１
2005232665.tif 000002
【特許請求の範囲】
【請求項１】
手と腕の少なくとも一部とに被せる手袋であって、
前記手を覆う手袋部と、
前記手袋部に一体的に接続され、前記腕の少なくとも一部を覆う腕カバー部と、
前記腕カバー部の開口端の周方向の少なくとも一部に取付けられた可撓性且つ形態保持性を有する棒状体とを備えた、手袋。
【請求項２】
前記手袋部及び前記腕カバー部は、防水性を有するシートより一体的に形成される、請求項１記載の手袋。
【請求項３】
前記腕カバー部は、前記手袋部側から前記開口端に向けて広がる形状を有する、請求項２記載の手袋。
【請求項４】
前記腕カバー部の前記開口端の外面には、周方向の全周に取付けられたギャザーテープ又はフリルテープを更に備えた、請求項２又は請求項３のいずれかに記載の手袋。
【請求項５】
前記棒状体は、前記開口端の全周に渡って連続的に取付けられたリング形状を有する、請求項１から請求項４のいずれかに記載の手袋。
【発明の詳細な説明】
【技術分野】
【０００１】
この発明は手袋に関し、特に手と腕の少なくとも一部とに被せる手袋に関するものである。
【背景技術】
【０００２】
図７は従来の手と腕の一部とに被せる手袋の外観形状を示した斜視図である。
【０００３】
図を参照して、手袋６１は、腕を覆う手袋部６３と手袋部６３に接続され腕の一部を覆う腕カバー部６４とから構成され、これらはゴム又はビニール等の合成樹脂シートの一体成形により形成されている。
【０００４】
使用時には腕カバー部６４の開口端６６によって構成される手袋口６７から手を差し込み、手を完全に手袋部６３に差し入れた状態で使用する。手袋６１はこのように腕カバー部６４によって腕の一部まで覆われるため、水仕事等に使用する際には特に使い勝手が良い。
【発明の開示】
【発明が解決しようとする課題】
【０００５】
上記のような従来の手袋では、使用の際には特に問題は無いが、手袋の装着がしにくいという問題点があった。即ち、手袋６１は腕カバー部６４を構成する可撓性を有するシート材料によって形成されているため、開口端６６によって構成される手袋口６７は装着時には扁平状態となってしまう。そのため、手袋口６７を広げながら手を差し入れる必要があるため、装着がスムーズに行かないことが多い。又、腕カバー部６４は手袋部６３に対して十分大きく形成されていないため、使用後の脱着の際には手に対して抵抗が大きくなり、やはりスムーズに手袋を取外すことができないことも多い。
【０００６】
そこで、装着を容易にするために、手袋口６７を大きくすると、装着は容易になっても、装着後腕廻りと開口端６６との隙間が大きくなるため、使用時において腕カバー部６４が腕からずり落ちやすくなってしまったり、そこからの水の侵入が容易となる虞もある。
【０００７】
この発明は上記のような課題を解決するためになされたもので、装着が容易であると共に装着後に腕カバー部がずり落ちにくい手袋を提供することを目的とする。
【課題を解決するための手段】
【０００８】
上記の目的を達成するために、請求項１記載の発明は、手と腕の少なくとも一部とに被せる手袋であって、手を覆う手袋部と、手袋部に一体的に接続され、腕の少なくとも一部を覆う腕カバー部と、腕カバー部の開口端の周方向の少なくとも一部に取付けられた可撓性且つ形態保持性を有する棒状体とを備えたものである。
【０００９】
このように構成すると、腕カバー部の開口端の形状が棒状体の位置で自在に変更可能となる。
【００１０】
請求項２記載の発明は、請求項１記載の発明の構成において、手袋部及び腕カバー部は防水性を有するシートより一体的に形成されるものである。
【００１１】
このように構成すると、手袋部及び腕カバー部を通しての水等の侵入が阻止される。
【００１２】
請求項３記載の発明は、請求項２記載の発明の構成において、腕カバー部は、手袋部側から開口端に向けて広がる形状を有するものである。
【００１３】
このように構成すると、腕カバー部の開口端が手袋部側に比べて大きくなる。
【００１４】
請求項４記載の発明は、請求項２又は請求項３のいずれかに記載の発明の構成において、腕カバー部の開口端の外面には、周方向の全周に取付けられたギャザーテープ又はフリルテープを更に備えたものである。
【００１５】
このように構成すると、腕カバー部の外面を伝って開口端側へ流れる水等の移動が阻止される。
【００１６】
請求項５記載の発明は、請求項１から請求項４のいずれかに記載の発明の構成において、棒状体は開口端の全周に渡って連続的に取付けられたリング形状を有するものである。
【００１７】
このように構成すると、開口端全体の形状を自在に変形させることができる。
【発明の効果】
【００１８】
以上説明したように、請求項１記載の発明は、腕カバー部の開口端の形状が棒状体の位置で自在に変形できるため、使用の際には、腕カバー部の開口端が大きくなるように棒状体を変形させておくと装着が容易となる。そして、手を手袋部に差し入れた後、腕の廻りに腕カバー部の開口端を所望の状態に沿わせることが可能となり、腕カバー部のずり落ちを確実に防止することができる。又、手袋の取外しには、開口端の形状を元の状態に戻すことによって容易に手を手袋から抜き出すことが可能となる。
【００１９】
請求項２記載の発明は、請求項１記載の発明の効果に加えて、手袋部及び腕カバー部を通しての水等の侵入が阻止されるため、水仕事等に適した手袋となる。
【００２０】
請求項３記載の発明は、請求項２記載の発明の効果に加えて、腕カバー部の開口端が手袋側に比べて大きくなるため、手の腕カバー部への差し入れや装着後の手の抜き出しが更に容易となるため装着勝手がより向上する。
【００２１】
請求項４記載の発明は、請求項２又は請求項３のいずれかに記載の発明の効果に加えて、開口端側へ流れる水等の移動が阻止されるため、上向きで手袋を使用したような場合、水等の腕側への侵入が阻止されるため使い勝手が良い。
【００２２】
請求項５記載の発明は、請求項１から請求項４のいずれかに記載の発明の効果に加えて、開口端全体の形状を自在に変形させることができるため、装着時と装着後との開口端の形状を所望の形状とすることで、より使い勝手が向上する。又、使用後には開口端をリング状にして広げた状態で手袋を吊るしておくことによって手袋内部の湿気等を容易に除去させて乾燥させることができるため、より清潔に使用することが可能となる。
【発明を実施するための最良の形態】
【００２３】
図１はこの発明の第１の実施の形態による手と腕の一部とに被せることができる手袋の外観形状を示した斜視図であり、図２は図１で示したＩＩ−ＩＩラインの拡大断面図である。
【００２４】
これらの図を参照して、手袋１１は手を覆う手袋部１３と、手袋部１３に一体的に接続されて腕の一部を覆う腕カバー部１４とから構成され、これらはゴムシートやビニール等の合成樹脂シートにより一体成形されている。腕カバー部１４の開口端１６は、その端部が内方側に折り返され、その折り返された部分全周にビニールで被覆された直径２ｍｍ程度の針金等の可撓性且つ形態保持性を有する棒状体２０が挿入されている。尚、この実施の形態においては、腕カバー部１４の折り返し端部は、接着剤にて腕カバー部１４の内面側に固定されている。又、開口端１６の内面側の一部に紐等で構成されるループ体１９が取付けられている。
【００２５】
腕カバー部１４の形状は、図７で示した従来のものに比べて開口端１６が手袋部１３側に比べて大きく広がるような形状（扁平状態で１．５〜２．０倍程度）に構成されている。従って、開口端１６端部に取付けられている棒状体２０を変形させてリング状にすると、腕カバー部１４の開口端１６は図１に示すような円状の大きな手袋口１７を形成することになり、この状態が保持されることになる。
【００２６】
図３は図１で示した手袋の使用状態の装着過程を示した概略斜視図である。
【００２７】
図３の（１）を参照して、手袋１１は装着前の状態であり、図１に示した図に対応したものである。この状態にあっては、上述のように開口端１６に取付けられている棒状体２０はリング状に変形されているため、手袋口１７は大きな円形状となっている。そのため、従来の手袋のように腕カバー部１４の端部をもう一方の手で広げるような必要はなく、手２２を腕カバー部１４内部に容易に差し入れることが可能となる。又、手袋口１７は腕カバー部１４のラッパ形状とあいまって手袋部１３側に対してかなり大きくなっている。そのため、袖２３が冬季等においてかなり厚いものであっても、袖２３と共に手２２を容易に腕カバー部１４内に差し入れることが可能となる。
【００２８】
次に図３の（２）に示されているように、手２２を手袋部１３の位置に完全に差し入れる。この状態にあっても、袖２３の影響を受けることなく容易に手２２を手袋部１３内部に差し入れることができる。尚、この状態にあっては、袖２３の外周に比べて手袋口１７はかなり大きくなっているため、開口端１６との間に大きな隙間が生じた状態となる。
【００２９】
次にこの状態から図３の（３）に示されているように、袖２３と開口端１６との間の隙間を無くすように開口端１６に取付けられている棒状体２０を捻る。棒状体２０は上述のように可撓性且つ形態保持性を有しているため、捻るように力を加えることによって容易に変形し、その変形した状態が維持されることになる。その結果、袖２３と開口端１６との間の隙間は極めて小さくなる。又、腕カバー部１４も開口端１６の部分の変形に伴って袖２３に沿うように変形する。このようにして開口端１６を袖２３に沿うように容易に変形させることができるため、手袋１１の使用時に腕カバー部１４が袖２３からずり落ちるような虞はない。
【００３０】
手袋１１の使用後これを取外す際には、図３の（３）の状態から開口端１６に取付けられている棒状体２０を元の状態に戻すように力を加えて変形させる。上述のように、棒状体２０は可撓性且つ形態保持性を有するためそのような変形は極めて容易である。そして図３の（２）の状態に開口端１６を変形させると、袖２３に対して手袋口１７は大きく開き、袖２３と開口端１６との間の隙間が大きくなる。
【００３１】
そして、手袋部１３の先端部をもう一方の手で掴みながら、手２２を手袋１１から引き抜けば良い。この時腕カバー部１４の大部分は手２２及び袖２３から離れた状態となっているため、引き抜く際に抵抗が少なく容易に手袋１１を取外すことが可能となる。
【００３２】
図４は図１で示した手袋を使用後に乾燥させている状態を示した斜視図である。
【００３３】
図を参照して、手袋１１は耐水性のシートにより一体成形されているため、水の侵入を防止することができるものの使用時に手袋１１の内部に湿気がこもりやすい状態となる。そのため使用後には、棒状体２０を変形させて開口端１６を大きなリング状にした状態にし、開口端１６内部に取付けられているループ体１９を介してフック２６等に手袋１１を吊るすようにする。この状態にあっては、腕カバー部１４の手袋口１７が大きく上方に向けて開口された状態となるため、手袋部１３及び腕カバー部１４の内面に発生した湿気分は手袋口１７を介して蒸発が促進され、手袋１１内部が容易に乾燥する。尚、手袋１１の内部を指先内部まで大きく開くには、ループ体１９の取付け位置を手袋部１３の中指を覆う部分の手の甲側の延長線上にすることが好ましい。
【００３４】
これに対して、図７で示したような従来の手袋６１では、例えば開口端６６の一部をクリップ等で挟んで吊るすようにしても、手袋口６７は十分大きく開くことはないため、内部の水分の乾燥が容易に促進されない。そのため不衛生な状態で再度使用することが多いが、この実施の形態による手袋であれば、使用後の内部の乾燥が促進されるため、常に快適な状態で使用を繰り返すことが可能となる。
【００３５】
図５はこの発明の第２の実施の形態による手と腕の一部とに被せる手袋の外観形状を示した斜視図であり、図６は図５で示したＶＩ−ＶＩラインの拡大断面図である。
【００３６】
これらの図を参照して、基本的な構成は先の第１の実施の形態による手袋と同一であるため、ここでは相違点について主に説明する。
【００３７】
この実施の形態においては、腕カバー部１４の端部の外面側においてその周方向の全周にギャザーテープ２８（テープ幅３０〜３５ｍｍ）が取付けられている。ギャザーテープ２８の取付け部の両側の基布の内、その一方の基布２９は手袋部１３の方向に伸びている。尚、ギャザーテープはナイロン、ポリエステル、又はビニール素材に対して撥水加工、防水加工又は裏面にラミネート加工が施されたものが好ましい。又、ギャザーテープに代えてフリルテープを使用しても同様の効果を奏する。このようにギャザーテープ２８には撥水加工又は防水加工が施されたテープ状の布が用いられている。そのため、手袋１１を上向き状態で使用した場合において、腕カバー部１４を伝って開口端１６側に流れ落ちる水は、ギャザーテープ２８の基布２９において阻止されることになる。これによって手袋１１を水仕事等に用いた場合において、腕カバー部１４から外方に出ている袖の部分に水の進入を受けることが防止できるため、より使い勝手が向上する。
【００３８】
ところで、ギャザーテープは上述のように腕カバー部１４を伝っての水の侵入を阻止する役目を果たしているが、その基布自体にプリント等を施すことによって審美性の高い手袋とすることが可能となる。
【００３９】
尚、上記の各実施の形態では、棒状体は腕カバー部の開口端の全周に連続的に取付けられているが、棒状体は連続的でなくても良く、又、開口端の周方向の一部に取付けられていても良い。又、棒状体の材質は針金等の金属材料を用いているが、可撓性且つ形態保持性を有するものであれば他の材質でも良い事は言うまでもない。そして、棒状体は腕カバー部の端部を巻き込む様にして取付けられているが、手袋の一体成形時に棒状体をこれに埋め込んだ状態に一体成形するように構成しても良い。
【００４０】
又、上記の各実施の形態では、手袋は腕の一部まで覆う形状となっているが、上腕部まで覆えるような形状の手袋に対しても同様に適用できる。
【００４１】
更に、上記の各実施の形態では、腕カバー部は手袋部側に対して大きく開いた形状となっているが、従来の手袋と同程度の開き具合であっても良い。
【００４２】
更に、上記の第２の実施の形態では、棒状体とギャザーテープとはそれぞれ腕カバー部の開口端に取付けられているが、これらを合体させたものを腕カバー部に取付けるように構成しても良い。
【００４３】
更に、上記の各実施の形態では、手袋はゴム、ビニール等の一体成形により構成される作業用手袋を対象としているが、他の材質による他の用途の手袋にも同様に適用できることは言うまでもない。
【００４４】
更に、上記の各実施の形態では、腕カバー部の内面にループ体が取付けられているが、ループ体は必ずしもなくても良い。
【図面の簡単な説明】
【００４５】
【図１】この発明の第１の実施の形態による手袋の外観形状を示した斜視図である。
【図２】図１で示したＩＩ−ＩＩラインの拡大断面図である。
【図３】図１で示した手袋の装着時における概略工程を示す斜視図である。
【図４】図１で示した手袋の乾燥時の状態を示した斜視図である。
【図５】この発明の第２の実施の形態による手袋の外観形状を示した斜視図である。
【図６】図５で示したＶＩ−ＶＩラインの拡大断面図である。
【図７】従来の手袋の外観形状を示した斜視図である。
【符号の説明】
【００４６】
１１…手袋
１３…手袋部
１４…腕カバー部
１６…開口端
２０…棒状体
２２…手
２４…腕
２８…ギャザーテープ
尚、各図中同一符号は同一又は相当部分を示す。
【図１】
2005232665.tif 000003
【図２】
2005232665.tif 000004
【図３】
2005232665.tif 000005
【図４】
2005232665.tif 000006
【図５】
2005232665.tif 000007
【図６】
2005232665.tif 000008
【図７】
2005232665.tif 000009